(57)【要約】【課題】ストッパによる役物の保持の解除をスムーズに行うことで、役物を素早く動作させることができる遊技機を提供する。【解決手段】可動役物３５は、右ガイド軸５２に沿って昇降する右昇降部材５３に固定される。右昇降部材５３には、被係止部５８が設けられる。可動役物３５が上部位置に移動すると、パチンコ機は被係止部５８の下方に、ストッパ５６を対向配置させる。これにより、可動役物３５が仮に振動等で落下しそうになっても、ストッパ５６で上部位置に保持できる。可動役物３５を上部位置から下降させる場合、ストッパ５６と被係止部５８が接触した状態では、摩擦でストッパ５６を移動できない。パチンコ機１は、可動役物３５を上部位置から引き上げ位置に上昇させると同時に、ストッパ５６を退避位置に移動させる。これにより、パチンコ機は可動役物３５を素早く下降できる。【選択図】図３
2020089573.tif 000002
【特許請求の範囲】
【請求項１】
役物と、
前記役物を上下方向に移動可能に支持する支持手段と、
前記支持手段によって支持された前記役物を、第一位置から当該第一位置よりも高い第二位置まで移動する役物移動手段と、
前記役物移動手段によって前記第二位置に移動された前記役物に対して下方から対向配置することにより、前記役物が落下した場合に前記役物を前記第二位置に保持するストッパと、
前記ストッパを、前記第二位置に移動された前記役物に対して下方から対向する対向位置と、当該対向位置から前記役物の移動経路と交差する方向において離間した退避位置との間を移動させるストッパ移動手段と、
前記ストッパ移動手段の動作を制御する制御手段と
を備えた遊技機において、
前記第二位置に移動された前記役物を、前記第一位置に向けて下降させる際に、前記第二位置よりも高い第三位置まで一旦上昇させてから前記第一位置に向けて下降させる下降制御手段を備え、
前記制御手段は、
前記下降制御手段によって前記役物が前記第二位置から前記第三位置に向けて上昇を開始した時から、前記第三位置に到達する前までの間に、前記ストッパを前記対向位置から前記退避位置に向けて移動を開始させるように、前記ストッパ移動手段の動作を制御すること
を特徴とする遊技機。
【請求項２】
前記制御手段は、
前記下降制御手段によって前記役物が前記第二位置から前記第三位置に向けて上昇を開始するのと同時に、前記ストッパを前記対向位置から前記退避位置に向けて移動を開始させるように、前記ストッパ移動手段の動作を制御すること
を特徴とする請求項１に記載の遊技機。
【請求項３】
前記ストッパ移動手段は、
前記ストッパを前記退避位置と前記対向位置の間において駆動するソレノイドと、
前記ソレノイドへの通電を制御するソレノイド制御手段と
を備え、
前記ソレノイド制御手段が前記ソレノイドへの通電をオフした状態では、前記ソレノイドは、前記ストッパを前記対向位置に配置し、
前記ソレノイド制御手段が前記ソレノイドへの通電をオンした状態では、前記ソレノイドは、前記ストッパを前記対向位置から前記退避位置に駆動すること
を特徴とする請求項１又は２に記載の遊技機。
【発明の詳細な説明】
【技術分野】
【０００１】
本発明は遊技機に関する。
【背景技術】
【０００２】
従来、遊技盤の上部の初期位置に初期位置設定用ストッパーにより保持され、当該初期位置設定用ストッパーが後方に回動して保持を解除されることにより、前記初期位置から落下するように構成された可動体を備えた遊技機が知られている（例えば、特許文献１参照）。
【先行技術文献】
【特許文献】
【０００３】
【特許文献１】特開２０１７−１３６２５６号公報
【発明の概要】
【発明が解決しようとする課題】
【０００４】
可動体が初期位置設定用ストッパーに保持されている状態では、初期位置設定用ストッパーと可動体は接触している。この状態から、初期位置設定用ストッパーを後方に回動させることから、可動体との摩擦の影響で、初期位置設定用ストッパーを後方にスムーズ且つ速やかに回動させることができず、その結果、可動体を素早く動作させることが困難な場合があった。
【０００５】
本発明の目的は、ストッパによる役物の保持の解除をスムーズに行うことで、役物を素早く動作させることができる遊技機を提供することである。
【課題を解決するための手段】
【０００６】
本発明に係る遊技機は、役物と、前記役物を上下方向に移動可能に支持する支持手段と、前記支持手段によって支持された前記役物を、第一位置から当該第一位置よりも高い第二位置まで移動する役物移動手段と、前記役物移動手段によって前記第二位置に移動された前記役物に対して下方から対向配置することにより、前記役物が落下した場合に前記役物を前記第二位置に保持するストッパと、前記ストッパを、前記第二位置に移動された前記役物に対して下方から対向する対向位置と、当該対向位置から前記役物の移動経路と交差する方向において離間した退避位置との間を移動させるストッパ移動手段と、前記ストッパ移動手段の動作を制御する制御手段とを備えた遊技機において、前記第二位置に移動された前記役物を、前記第一位置に向けて下降させる際に、前記第二位置よりも高い第三位置まで一旦上昇させてから前記初期位置に向けて下降させる下降制御手段を備え、前記制御手段は、前記下降制御手段によって前記役物が前記第二位置から前記第三位置に向けて上昇を開始した時から、前記第三位置に到達する前までの間に、前記ストッパを前記対向位置から前記退避位置に向けて移動を開始させるように、前記ストッパ移動手段の動作を制御することを特徴とする。
【０００７】
本発明に係る遊技機によれば、第一位置に移動した役物が振動等で落下しそうになっても、役物の下方にストッパが対向配置されているので、役物をストッパで第一位置に保持できる。このとき、ストッパと役物が接触しているので、役物との摩擦でストッパを引くことができない。そこで、本発明においては、役物を第一位置から第二位置に向けて一旦上昇させ、役物とストッパを確実に離間させた状態で、ストッパを対向位置から退避位置に移動させる。そして、ストッパを対向位置から退避位置に移動させるタイミングについて、役物が第一位置から第二位置に向けて上昇を開始した時から、第二位置に到達する前までの間において行う。これにより、遊技機は、ストッパを迅速に退避位置に移動させることができるので、ストッパによる役物の保持の解除をスムーズに行うことができ、役物を第二位置から初期位置に向けて素早く下降させることができる。よって、役物を素早く動作させることができる。なお、「第二位置」とは、役物移動手段によって移動された役物の位置と、その下方に対向配置するストッパによって保持されたときの役物の位置との両方を含む概念である。下記実施例において、ストッパの位置は、上部位置に移動した役物の位置よりも所定の隙間を介して下方に位置するが、これらは何れも「第二位置」である。役物に対してストッパが下方から接触する場合は、何れも同一の上部位置である。
【０００８】
前記制御手段は、前記下降制御手段によって前記役物が前記第二位置から前記第三位置に向けて上昇を開始するのと同時に、前記ストッパを前記対向位置から前記退避位置に向けて移動を開始させるように、前記ストッパ移動手段の動作を制御するとよい。遊技機は、役物が第二位置から第三位置に向けて上昇を開始するのと同時に、ストッパを対向位置から退避位置に向けて移動を開始させるので、役物をより素早く第三位置から第一位置に向けて下降させることができる。
【０００９】
前記ストッパ移動手段は、前記ストッパを前記退避位置と前記対向位置の間において駆動するソレノイドと、前記ソレノイドへの通電を制御するソレノイド制御手段とを備え、前記ソレノイド制御手段が前記ソレノイドへの通電をオフした状態では、前記ソレノイドは、前記ストッパを前記対向位置に配置し、前記ソレノイド制御手段が前記ソレノイドへの通電をオンした状態では、前記ソレノイドは、前記ストッパを前記対向位置から前記退避位置に駆動するとよい。仮に、第二位置に移動された役物が振動等により落下した場合はストッパと接触する。このとき、ソレノイドの通電をオンすることにより、役物との接触でストッパに対して摩擦がかかった状態でも、ストッパを退避位置に強制的に駆動できる。
【図面の簡単な説明】
【００１０】
【図１】パチンコ機１の正面図である。
【図２】遊技盤２の正面図である。
【図３】役物装置３０（可動役物３５：上部位置、ストッパ５６：対向位置）の正面図である。
【図４】役物装置３０の右斜め前方からの斜視図である。
【図５】役物装置３０の左斜め前方からの斜視図である。
【図６】役物装置３０の分解斜視図である。
【図７】役物装置３０（可動役物３５：引き上げ位置、ストッパ５６：退避位置）の正面図である。
【図８】役物装置３０（可動役物３５：下部位置、ストッパ５６：退避位置）の正面図である。
【図９】図３に示すＷ１領域の部分拡大図である。
【図１０】図７に示すＷ２領域の部分拡大図である。
【図１１】図８に示すＷ３領域の部分拡大図である。
【図１２】パチンコ機１の電気的構成を示すブロック図である。
【図１３】役物昇降制御処理のフローチャートである。
【発明を実施するための形態】
【００１１】
以下、本発明に係る遊技機の一実施の形態であるパチンコ機１について、図面を参照して説明する。以下説明では、図１，図２の手前側、奥側、上側、下側、左側、及び右側を、夫々、パチンコ機１及び遊技盤２の前側、後側、上側、下側、左側、及び右側とする。
【００１２】
図１、図２を参照し、パチンコ機１の機械的構成を説明する。図１に示すように、パチンコ機１の上半分の部分には、遊技盤２が設けられる。遊技盤２は略正方形であり、透明なガラス板を保持したガラス枠１３によって前面が保護される。遊技盤２の下方部には、遊技球発射装置３４（図１２参照）に遊技球を供給し、且つ賞球を受ける上皿５が設けられる。上皿５の直下には、賞球を受ける下皿６が設けられる。下皿６の右横には、遊技球の発射を調整する発射ハンドル７が設けられる。ガラス枠１３の上部の左右の角にはスピーカ４８が夫々設けられる。
【００１３】
図２に示すように、遊技盤２の前面には、ガイドレール３に囲まれた略円形の遊技領域４が形成される。遊技球発射装置３４によって発射された遊技球は、遊技領域４内を流下する。遊技領域４の略中央には、表示開口８が設けられる。表示開口８の後側には、役物装置３０が設けられる。役物装置３０は、支持枠３１（図３参照）によって支持される。支持枠３１は、ガラス枠１３の背面側に設けられる。役物装置３０は、表示開口８の中央に可動役物３５を昇降可能に備える。なお、役物装置３０と支持枠３１の具体的構造については後述する。
【００１４】
表示開口８の下方には第一始動口１４が設けられ、表示開口８の右方には第二始動口１２が設けられる。第一始動口１４に遊技球が入賞すると、パチンコ機１は第一大当たり判定を実行する。第二始動口１２の開閉部材が開放されると、遊技球は第二始動口１２に入賞容易となる。遊技球が第二始動口１２に入賞すると、パチンコ機１は第二大当たり判定を実行する。第一始動口１４の下方には、大入賞口１６、アウト口１９が設けられる。大入賞口１６に設けられた開閉部材が開放されると、遊技球は大入賞口１６に入賞容易となる。アウト口１９は、遊技領域４の下端まで流下した遊技球を回収する。
【００１５】
第二始動口１２の下方には、入賞装置２５が設けられる。遊技球は入賞装置２５の内部に上方から進入する。入賞装置２５の内部には、複数の大入賞口（図示外）が設けられる。各大入賞口には開閉部材が設けられ、開閉部材が開放されると遊技球は大入賞口に入賞容易となる。入賞装置２５の特定の大入賞口の内部には特定領域と非特定領域が設けられており、遊技球が特定領域を通過することを契機として確率変動状態が生起される。尚、入賞装置２５の内部でいずれの大入賞口にも入賞し損ねた遊技球は、左下に向けて放出される。
【００１６】
図３を参照し、支持枠３１の構造を説明する。支持枠３１は、正面視略矩形枠状に形成された樹脂製の枠体であり、上枠部３１Ａ、右枠部３１Ｂ、左枠部３１Ｃ、下枠部３１Ｄ等を備える。支持枠３１の中央部には、前後方向に貫通する正面視略矩形状の開口部３１０が設けられる。支持枠３１の中央部には、開口部３１０を塞ぐように、遊技盤２の背面側がネジで固定される。これにより、支持枠３１を正面から見た場合に、遊技盤２の周囲を取り囲むようにして支持枠３１が配置される（図２参照）。
【００１７】
図４〜図６を参照し、役物装置３０の構造を説明する。役物装置３０は、可動役物３５、右移動機構部５０、左移動機構部６０等を備え、支持枠３１によって支持される。右移動機構部５０は、右枠部３１Ｂの前面に固定される。左移動機構部６０は、左枠部３１Ｃの前面に固定される。図３、図８に示すように、可動役物３５は、右移動機構部５０及び左移動機構部６０によって、開口部３１０の前面側において、上部位置と下部位置の間を昇降可能に支持される。なお、上部位置とは、支持枠３１の開口部３１０の上部に相当する位置（図３参照）である。下部位置とは、支持枠３１の開口部３１０の下部に相当する位置（図８参照）である。
【００１８】
図４、図５を参照し、可動役物３５の構造を説明する。可動役物３５は、後方に向けて開口する平面視略Ｕ字状に形成され、本体部３６、右支持部３７、左支持部３８を備える。本体部３６は、正面視左右方向に長い略矩形板状に形成され、その前面には表示部３６１が設けられる。表示部３６１には、電飾基板２９（図１２参照）が設けられる。電飾基板２９に設けられた複数のＬＥＤが点灯することにより、表示部３６１は、０〜９のいずれかの数字を左右に三つ並べて表示する。例えば、第一大当たり判定又は第二大当たり判定に伴う変動演出の実行時に、表示部３６１において各数字を変動させながら表示し、その後、各数字を確定表示させてもよい。右支持部３７は、本体部３６の背面の右端部から後方に突出し、右移動機構部５０の後述する右昇降部材５３の役物固定部５３３に螺子止め固定される。左支持部３８は、本体部３６の背面の左端部から後方に突出し、左移動機構部６０の後述する左昇降部材６３に螺子止め固定される。これにより、本体部３６は、右移動機構部５０及び左移動機構部６０よりも前側に突出した位置で支持される。
【００１９】
図４〜図６を参照し、右移動機構部５０の構造を説明する。右移動機構部５０は、右柱部材５１、右ガイド軸５２、右昇降部材５３、駆動モータ５４、ストッパ機構部５５等を備える。右柱部材５１は正面視上下方向に長い樹脂製の板材であり、支持枠３１の右枠部３１Ｂの前面に固定される。図６に示すように、右柱部材５１の上部には、ストッパ固定部５１１が設けられる。右柱部材５１の前面の左側上部であって、ストッパ固定部５１１の直下には、上側軸固定部５１２が設けられる。右柱部材５１の前面の左側下部には、下側軸固定部５１３が設けられる。右柱部材５１の右端部における上下方向略中央部には、モータ固定部５１５が設けられる。
【００２０】
モータ固定部５１５の直下には、フォトセンサ７８が他部材（図示略）を介して固定される。フォトセンサ７８は、一般的な透過型フォトセンサである。フォトセンサ７８は、前後方向に互いに対向する位置に発光部と受光部（図示略）を備える。発光部から出射された光は、受光部によって受光される。右昇降部材５３が上昇し、可動役物３５が上部位置に位置決めされたとき、発光部と受光部の間に、右昇降部材５３の下端部に設けられた後述する被検出部５３５が配置される。フォトセンサ７８は発光部から受光部に出射される光が被検出部５３５によって遮断されることで、可動役物３５が上部位置に位置決めされたことを検出できる。
【００２１】
右ガイド軸５２は金属製の丸棒であって、右柱部材５１の前面左側において、上下方向に延びるようにして配置される。右ガイド軸５２の上端部は、右柱部材５１の上側軸固定部５１２に固定される。右ガイド軸５２の下端部は、右柱部材５１の下側軸固定部５１３に固定される。
【００２２】
右昇降部材５３は、右ガイド軸５２に沿って上下方向に移動可能に支持される。右昇降部材５３は、正面視上下方向に長い略矩形板状に形成され、ラックギア５３１、筒部５３２、役物固定部５３３、被検出部５３５、ベアリング７１〜７４、被係止部５８等を備える。右昇降部材５３の右端部は上下方向に延びる。ラックギア５３１は、右昇降部材５３の右端部に沿って設けられる。筒部５３２は、右昇降部材５３の前面の上下方向略中央部に筒状に設けられ、上下方向に貫通する。筒部５３２の内側には、右ガイド軸５２が挿通する。役物固定部５３３は、右昇降部材５３の左端部の上側に設けられ、正面視略矩形板状に形成される。役物固定部５３３の前面には、可動役物３５の右支持部３７の後端部が螺子止め固定される。被検出部５３５は、右昇降部材５３の下端部に設けられ、正面視略矩形板状に形成される。被検出部５３５は、可動役物３５が上部位置に位置決めされたとき、フォトセンサ７８に相対する位置に配置される。即ち、フォトセンサ７８が被検出部５３５を検出したとき、可動役物３５は上部位置に配置される。
【００２３】
ベアリング７１〜７４は、右昇降部材５３の前面において、前後方向に延びる回転軸を中心に回転可能に設けられ、筒部５３２に挿通される右ガイド軸５２を左右両側から挟み込むようにして夫々配置される（図４、図７参照）。ベアリング７１は、筒部５３２の右上角部近傍に設けられる。ベアリング７２は、筒部５３２の左上角部近傍で、且つベアリング７１よりもやや下方の高さ位置に設けられる。ベアリング７３は、筒部５３２の右下角部近傍に設けられる。ベアリング７４は、筒部５３２の左下角部近傍で、且つベアリング７３と同一高さ位置に設けられる。ベアリング７１と７３は、右ガイド軸５２に右方から当接し、ベアリング７２と７４は、右ガイド軸５２に左方から当接する。右昇降部材５３が右ガイド軸５２に沿って昇降する際、ベアリング７１〜７４は右ガイド軸５２に沿って転動する。これにより、右昇降部材５３は、右ガイド軸５２に沿って安定、且つ滑らかに昇降できる。
【００２４】
被係止部５８は樹脂製の棒部材であって、右昇降部材５３の前面におけるベアリング７１の直上において横向きに固定され、右方に向けて略水平に突出する（図９参照）。被係止部５８の先端部は、正面視略多角形状に膨出して形成される。駆動モータ５４は、右柱部材５１のモータ固定部５１５に固定される。駆動モータ５４の出力軸は後方に突出し、その先端部には、ピニオンギア５４２が設けられる（図６参照）。ピニオンギア５４２は、右昇降部材５３の右端部に設けられたラックギア５３１と噛合する。これにより、駆動モータ５４が駆動すると、出力軸と共にピニオンギア５４２が回転し、該ピニオンギア５４２の回転方向及び回転量に応じて、ラックギア５３１と一体して右昇降部材５３が昇降する。
【００２５】
ストッパ機構部５５は、右柱部材５１の上部のストッパ固定部５１１（図６参照）に固定される。図９に示すように、ストッパ機構部５５は、上から順に、ソレノイド５５１、プランジャ５５２、連結部５５３、ストッパ５６等を備える。ソレノイド５５１は、銅線に電流を流すことにより磁界を発生させ、磁性体であるプランジャ５５２を吸引する周知の電気部品である。プランジャ５５２は、ソレノイド５５１の下部から下方に向けて出退可能に設けられる。プランジャ５５２の下端部には、連結部５５３が固定される。連結部５５３は正面視略矩形状に形成された樹脂部品であり、プランジャ５５２と一体して上下方向に移動する。連結部５５３には、ガイド穴５５４が設けられる。ガイド穴５５４は連結部５５３を前後方向に貫通し、且つ左右方向に長い略矩形状に形成される。連結部５５３の上面とソレノイド５５１の間には、バネ（図示略）が配置される。バネは、連結部５５３をソレノイド５５１から離間する方向（下方）に常時付勢する。
【００２６】
ストッパ５６は、右ガイド軸５２の上端部の右側近傍に設けられた軸支部５７を中心に揺動可能に設けられる。軸支部５７は前後方向に延びる軸心を有する。ストッパ５６は樹脂製であって、正面視左方に開口する略Ｕ字状に形成され、横方向部５６１、縦方向部５６２、係止部５６３を備える。横方向部５６１は左右方向に延び、その左端部が軸支部５７によって軸支される。縦方向部５６２は、横方向部５６１の右端部から下方に屈曲して延びる。係止部５６３は、縦方向部５６２の下端部から左方に屈曲して延び、横方向部５６１に対して略平行である。係止部５６３の長さは、横方向部５６１の長さの略半分である。係止部５６３の先端部の下部はテーパ状に加工されているので、係止部５６３の先端部は先細り状になっている。横方向部５６１の上面の右端部には、上方に突出する正面視略円形状の突出部５６４が設けられる。突出部５６４の前面には、連結軸５６５が前方に突出して設けられる。連結軸５６５は略円柱状に形成され、連結部５５３のガイド穴５５４に後方から挿入される。
【００２７】
図９、図１０を参照し、ストッパ機構部５５の動作を説明する。図９に示すように、ソレノイド５５１の通電をオフした状態では、プランジャ５５２はバネの付勢で下方に突出する。連結部５５３はプランジャ５５２と一体して下方に突出する。連結部５５３のガイド穴５５４の内壁は、ストッパ５６の連結軸５６５を押し下げるので、ストッパ５６は、軸支部５７を中心に正面視時計回りに回動する。ストッパ５６の回動に伴い、連結軸５６５はガイド穴５５４の右側に移動する。これにより、ストッパ５６は、対向位置に位置決めされる。対向位置に位置決めされたストッパ５６の係止部５６３の上面は略水平である。係止部５６３の先端部は、プランジャ５５２の軸線上に配置される。
【００２８】
一方、図１０に示すように、ソレノイド５５１の通電をオンした状態では、プランジャ５５２は、バネの付勢力に抗してソレノイド５５１内に引き込まれるので、連結部５５３は上方に移動する。このとき、ストッパ５６の連結軸５６５は、連結部５５３のガイド穴５５４の内壁によって押し上げられるので、ストッパ５６は、軸支部５７を中心に正面視反時計回りに回動する。ストッパ５６の回動に伴い、連結軸５６５はガイド穴５５４の左側に移動する。これにより、ストッパ５６は、対向位置から退避位置に位置決めされる。退避位置に位置決めされたストッパ５６の係止部５６３の上面は右肩上りに傾斜し、係止部５６３の先端部は、プランジャ５５２の軸線上から右側に退避する。
【００２９】
図４、図５を参照し、左移動機構部６０の構造を説明する。左移動機構部６０は、左柱部材６１、左ガイド軸６２、左昇降部材６３等を備える。左柱部材６１は正面視上下方向に長い樹脂製の板材であり、支持枠３１の左枠部３１Ｃの前面に固定される。左柱部材６１の前面の右側上部には、上側軸固定部６１２が設けられる。左柱部材６１の前面の右側下部には、下側軸固定部６１３が設けられる。左ガイド軸６２は金属製の棒であって、左柱部材６１の前面右側において、上下方向に延びるようにして配置される。左ガイド軸６２の上端部は、左柱部材６１の上側軸固定部６１２に固定される。左ガイド軸６２の下端部は、左柱部材６１の下側軸固定部６１３に固定される。右ガイド軸５２と左ガイド軸６２は互いに平行である。
【００３０】
左昇降部材６３は、左ガイド軸６２に沿って上下方向に移動可能に支持される。左昇降部材６３は、正面視上下方向に長い略矩形板状に形成され、上挿通部６３１、中挿通部６３２、下挿通部６３３、ベアリング８１，８２、ＦＰＣ６５、カバー６６等を備える。左昇降部材６３の前面には、可動役物３５の左支持部３８の後端部が螺子止め固定される。上挿通部６３１、中挿通部６３２、下挿通部６３３は、左昇降部材６３の左端部の上部、中間部、下部に夫々設けられる。上挿通部６３１は、平面視左方に開口する略Ｕ字状に形成され、中挿通部６３２は平面視前方に開口する略Ｕ字状に形成され、下挿通部６３３は、平面視左方に開口する略Ｕ字状に形成される。これら上挿通部６３１、中挿通部６３２、下挿通部６３３の夫々の内側には、左ガイド軸６２が挿通する。
【００３１】
ベアリング８１は、左昇降部材６３の左上角部において、前後方向に延びる回転軸を中心に回転可能に設けられる。ベアリング８２は、左昇降部材６３の左下角部において、前後方向に延びる回転軸を中心に回転可能に設けられる。ベアリング８１，８２は、左ガイド軸６２に対して右方から当接する。左昇降部材６３が左ガイド軸６２に沿って昇降する際、ベアリング８１，８２は左ガイド軸６２に沿って転動する。これにより、左昇降部材６３は左ガイド軸６２に沿って安定、且つ滑らかに昇降できる。
【００３２】
中挿通部６３２には、正面視略逆Ｌ字状のカバー６６が固定される。可動役物３５に設けられた電飾基板２９に接続するＦＰＣ６５は、左支持部３８の後端部から左昇降部材６３の前面において左方に引き出され、カバー６６の背面に沿うようにして下方に屈曲して折り返される。さらに、ＦＰＣ６５は、左柱部材６１の前面側において側面視略Ｕ字状に上方に折り返され、その折り返された一端部が左柱部材６１の前面上部において固定される。そして、ＦＰＣ６５の一端部は、後述するランプドライバ基板４６（図１２参照）に接続される。これにより、可動役物３５が昇降しても、ＦＰＣ６５は引っ張られることなく、可動役物３５の昇降に追従できる。
【００３３】
図１２を参照し、パチンコ機１の電気的構成を説明する。パチンコ機１は、主基板４１、サブ制御基板５９、ランプドライバ基板４６、払出制御基板４５、中継基板４７、及び電源基板１７を主に備える。
【００３４】
主基板４１は、パチンコ機１の主制御を司る。主基板４１の主基板ユニット９０には、各種の演算処理を行うＣＰＵ９１と、データを一時的に記憶するＲＡＭ９２と、制御プログラム等を記憶したＲＯＭ９３とが設けられる。主基板ユニット９０には、割込信号発生回路６４が接続される。主基板４１は、割込信号発生回路６４から割込信号が入力される毎にプログラムを実行する。主基板４１は、Ｉ／Ｏインタフェイス１５４を介してサブ制御基板５９、払出制御基板４５、中継基板４７、出力ポート９６、第一始動口スイッチ１７３、及び第二始動口スイッチ１７４、及び電源基板１７に接続する。払出制御基板４５は、ＣＰＵ４５ａ等を備える。払出制御基板４５は、主基板４１から送信されるコマンドに応じて賞球払出装置４９の動作を制御し、所定数の遊技球を賞球として払い出させる。出力ポート９６は、図示しない遊技場管理用コンピュータにパチンコ機１の情報を出力する。第一始動口スイッチ１７３は、第一始動口１４に入賞した遊技球を検出する。第二始動口スイッチ１７４は、第二始動口１２に入賞した遊技球を検出する。
【００３５】
サブ制御基板５９は、ＣＰＵ５８１、ＲＡＭ５８２、ＲＯＭ５８３を備える。サブ制御基板５９は、ランプドライバ基板４６、操作ボタン９、スピーカ４８に接続する。サブ制御基板５９は、主基板４１から送信されるコマンドに従って、演出等の総合的な制御を行う。ランプドライバ基板４６は、フォトセンサ７８、ソレノイド５５１、駆動モータ５４、発光基板２６、電飾基板２９に接続される。フォトセンサ７８は、ランプドライバ基板４６を介して、ＣＰＵ５８１にＯＮ信号又はＯＦＦ信号を送信する。ＣＰＵ５８１は、ランプドライバにコマンド信号を送信することで、ソレノイド５５１、駆動モータ５４、発光基板２６に設けられた各種発光部、電飾基板２９に設けられたＬＥＤを制御する。電源基板１７は、主基板４１及び遊技球発射装置３４に接続されており、各基板及び遊技球発射装置３４に直流の安定化した電力を供給する。遊技球発射装置３４は、一定間隔（本実施形態では０．６秒）毎に１個ずつ遊技球を遊技領域４へ発射する。
【００３６】
中継基板４７は、開閉ソレノイド６９、大入賞口開閉ソレノイド１７１、大入賞口スイッチ１７６、特定領域数スイッチ１７８、及び非特定領域スイッチ１７９に接続する。開閉ソレノイド６９は、第二始動口１２の開閉部材を開閉する。大入賞口開閉ソレノイド１７１と大入賞口スイッチ１７６は、パチンコ機１が有する各大入賞口の夫々に設けられた開閉ソレノイドと検出スイッチの総称である。大入賞口開閉ソレノイド１７１が駆動することで、いずれかの大入賞口の開閉部材は開閉する。大入賞口スイッチ１７６は、開閉部材が開けられた大入賞口に入賞した遊技球を検出する。特定領域数スイッチ１７８は特定領域を通過した遊技球を検出し、非特定領域スイッチ１７９は非特定領域を通過した遊技球を検出する。
【００３７】
図１３を参照し、役物昇降制御処理を説明する。パチンコ機１が起動すると、主基板４１のＣＰＵ９１は所定のコマンド信号を、サブ制御基板５９のＣＰＵ５８１に送信する。所定のコマンド信号を受信したＣＰＵ５８１は、ＲＯＭ５８３から所定のプログラムを読み出し、本処理を実行する。パチンコ機１の起動時、可動役物３５は下部位置に配置された状態である（図８参照）。ソレノイド５５１は通電がオフした状態であるので、ストッパ５６は対向位置に移動した状態である。
【００３８】
ＣＰＵ５８１は、ＣＰＵ９１から上昇指示のコマンド信号を受信したか否か判断する（Ｓ１１）。遊技開始に当たり、ＣＰＵ９１は可動役物３５を上部位置に上昇させる為、ＣＰＵ５８１に上昇指示のコマンド信号を送信する。上昇指示のコマンド信号を受信するまで（Ｓ１１：ＮＯ）、ＣＰＵ５８１はＳ１１に戻って待機する。上昇指示のコマンド信号を受信した場合（Ｓ１１：ＹＥＳ）、可動役物３５を下部位置から上昇させる為、ＣＰＵ５８１は、ソレノイド５５１の通電をオンし（Ｓ１２）、ストッパ５６を対向位置から退避位置に瞬時に移動させる。ＣＰＵ５８１は駆動モータ５４の出力軸を所定方向に回転駆動することにより、右昇降部材５３を介して、可動役物３５の上昇を開始する（Ｓ１３）。可動役物３５は、右ガイド軸５２及び左ガイド軸６２に沿って上昇する。ＣＰＵ５８１は、フォトセンサ７８からの検出信号に基づき、可動役物３５が上部位置に到達したか否か判断する（Ｓ１４）。可動役物３５が上部位置に到達するまで（Ｓ１４：ＮＯ）、ＣＰＵ５８１はＳ１４に戻って引き続き可動役物３５を上昇し続ける。
【００３９】
フォトセンサ７８が右昇降部材５３の被検出部５３５を検出したとき、可動役物３５は上部位置に到達する（Ｓ１４：ＹＥＳ）。このとき、ＣＰＵ５８１は駆動モータ５４を停止し、可動役物３５の上昇を停止する（Ｓ１５）。これにより、図３、図９に示すように、可動役物３５は上部位置に位置決めされ、支持枠３１の開口部３１０の上部に配置される。次いで、ＣＰＵ５８１はソレノイド５５１の通電をオフすることによって（Ｓ１６）、ストッパ５６を退避位置から対向位置に瞬時に移動させる。このとき、ストッパ５６の係止部５６３の上面は、被係止部５８の下方に所定の隙間を介して対向配置される（図９参照）。これにより、仮に可動役物３５が落下しそうになっても、被係止部５８がストッパ５６の係止部５６３に係止することにより、可動役物３５は保持されるので、可動役物３５が落下するのを確実に防止できる。
【００４０】
次いで、ＣＰＵ５８１は、ＣＰＵ９１から下降指示のコマンド信号を受信したか否か判断する（Ｓ１７）。下降指示のコマンド信号を受信するまで（Ｓ１７：ＮＯ）、ＣＰＵ５８１は、可動役物３５を上部位置に支持した状態で待機する。下降指示のコマンド信号を受信した場合（Ｓ１７：ＹＥＳ）、ＣＰＵ５８１は引き上げ動作を実行し（Ｓ１８）、それと同時に、ソレノイド５５１の通電をオンする（Ｓ１９）。ここで、引き上げ動作とは、駆動モータ５４の出力軸を所定方向に所定角度回転させ、可動役物３５を上部位置から引き上げ位置まで一旦引き上げる動作である。引き上げ位置は、上部位置よりも所定距離（例えば、１０ｍｍ）だけ上方に離間した位置である（図１０参照）。
【００４１】
図９、図１０において、可動役物３５が上部位置にあるときの被係止部５８の下面位置をＰ１とした場合、引き上げ動作によって、被係止部５８の下面位置はＰ２まで上昇する。これと同時に、ソレノイド５５１の通電をオンするので、図９に示すように、ストッパ５６の係止部５６３の上面が被係止部５８の下面と接触していても、被係止部５８の下面は、ストッパ５６の係止部５６３の上面から離れることができる。これにより、ストッパ機構部５５は、ストッパ５６を対向位置から退避位置に瞬時に引き込むことができる。なお、ストッパ機構部５５は、ストッパ５６の駆動源としてソレノイド５５１を用いているので、通電をオン又はオフした直後に、ストッパ５６を移動できる。よって、ソレノイド５５１の通電をオンしたのとほぼ同時に、ストッパ５６を退避位置に移動できる。これにより、ストッパ５６による可動役物３５の保持の解除をスムーズに行うことができるので、可動役物３５を素早く下降させることができる。次いで、ＣＰＵ５８１は、引き上げ動作が完了したか否か判断する（Ｓ２０）。引き上げ動作が完了するまで（Ｓ２０：ＮＯ）、ＣＰＵ５８１はＳ２０に戻って引き上げ動作を継続する。
【００４２】
図１０に示すように、引き上げ動作が完了した場合（Ｓ２０：ＹＥＳ）、ストッパ５６は退避位置に移動したので、図１１に示すように、ＣＰＵ５８１は駆動モータ５４の出力軸を所定方向とは逆方向に回転させ、右昇降部材５３を介して、可動役物３５の下降を開始する（Ｓ２１）。可動役物３５は、右ガイド軸５２及び左ガイド軸６２に沿って下降する。ＣＰＵ５８１は、可動役物３５が下部位置まで下降したか否か判断する（Ｓ２２）。可動役物３５が下部位置まで到達するまで（Ｓ２２：ＮＯ）、ＣＰＵ５８１はＳ２２に戻って可動役物３５を下降し続ける。図８に示すように、可動役物３５が下部位置に到達した場合（Ｓ２２：ＹＥＳ）、ＣＰＵ５８１は駆動モータ５４の駆動を停止し、可動役物３５の下降を停止させる（Ｓ２３）。これにより、可動役物３５は下部位置に位置決めされる。ＣＰＵ５８１はソレノイド５５１の通電をオフし（Ｓ２４）、ストッパ５６を退避位置から対向位置に移動させてから、Ｓ１１に戻って上記処理を繰り返す。
【００４３】
以上説明したように、本実施形態のパチンコ機１は、右ガイド軸５２、左ガイド軸６２、駆動モータ５４、ストッパ５６、ストッパ機構部５５、ＣＰＵ５８１を備える。右ガイド軸５２及び左ガイド軸６２は、可動役物３５を上下方向に移動可能に支持する。駆動モータ５４は、右ガイド軸５２及び左ガイド軸６２によって支持された可動役物３５を下部位置から上部位置まで移動する。ストッパ５６は、駆動モータ５４によって可動役物３５が上部位置に移動された場合、可動役物３５と一体して昇降する右昇降部材５３の被係止部５８の下面に対して下方から対向配置する。これにより、可動役物３５が落下した場合に可動役物３５を上部位置に保持する。ストッパ機構部５５は、ストッパ５６を対向位置と退避位置の間を移動させる。対向位置は、可動役物３５が上部位置に移動されたときの被係止部５８の下面に対して下方から対向する位置である。退避位置は、対向位置から右方向において離間した位置である。サブ制御基板５９のＣＰＵ５８１は、ストッパ機構部５５の動作を制御する。そして、ＣＰＵ５８１は、上部位置に移動された可動役物３５を、下部位置に向けて下降させる際、上部位置よりも高い引き上げ位置まで一旦上昇させてから下部位置に向けて下降させる。このとき、ＣＰＵ５８１は、可動役物３５が上部位置から引き上げ位置に向けて上昇を開始すると同時に、ストッパ５６を対向位置から退避位置に向けて移動を開始させる。
【００４４】
上記構成により、上部位置に移動された可動役物３５が仮に振動等で落下しそうになっても、被係止部５８の下側にストッパ５６が配置されているので、可動役物３５をストッパ５６で上部位置に保持できる。そして、ストッパ５６と被係止部５８が接触した状態では、可動役物３５との摩擦でストッパ５６を引くことができない。そこで、ＣＰＵ５８１は、可動役物３５を上部位置から引き上げ位置に向けて一旦上昇させ、被係止部５８とストッパ５６を確実に離間させた状態で、ストッパ５６を対向位置から退避位置に移動させる。ここで、ストッパ５６を対向位置から退避位置に移動させるタイミングについて、可動役物３５が上部位置から引き上げ位置に向けて上昇を開始すると同時に行うのがよい。これにより、パチンコ機１は、ストッパ５６を迅速に退避位置に移動できるので、可動役物３５を引き上げ位置から下部位置に向けて素早く下降できる。よって、可動役物３５を素早く動作させることができる。
【００４５】
ストッパ機構部５５は、ソレノイド５５１を備える。ソレノイド５５１は、ストッパ５６を退避位置と対向位置の間において駆動する。ＣＰＵ５８１は、ソレノイド５５１への通電を制御する。ＣＰＵ５８１がソレノイド５５１への通電をオフすると、ソレノイド５５１は、ストッパ５６を対向位置に配置する。ＣＰＵ５８１がソレノイド５５１への通電をオンすると、ソレノイド５５１は、ストッパ５６を対向位置から退避位置に移動する。仮に、上部位置に移動された可動役物３５が振動等により落下した場合、被係止部５８がストッパ５６と接触する。このとき、ソレノイド５５１の通電をオンすることにより、被係止部５８との接触でストッパ５６に対して摩擦がかかった状態でも、ストッパ５６を退避位置に強制的に駆動できる。
【００４６】
上記説明において、可動役物３５、右昇降部材５３、被係止部５８は、本発明の「役物」の一例である。右ガイド軸５２、左ガイド軸６２は、本発明の「支持手段」の一例である。上部位置は、本発明の「第一位置」の一例、下部位置は、本発明の「第二位置」の一例、引き上げ位置は、本発明の「第三位置」の一例である。駆動モータ５４、ピニオンギア５４２、ラックギア５３１は、本発明の「役物移動手段」の一例である。ストッパ機構部５５は、本発明の「ストッパ移動手段」の一例である。ＣＰＵ５８１は、本発明の「制御手段」の一例である。図１３のＳ１９、Ｓ２１〜Ｓ２５の処理を実行するＣＰＵ５８１は、本発明の「下降制御手段」の一例である。Ｓ２０の処理を実行するＣＰＵ５８１は、本発明の「ストッパ移動手段」の一例である。
【００４７】
なお、本発明は、上記の実施形態に限定されるものではなく、種々の変更が可能である。例えば、可動役物３５が上部位置に移動した状態で、ストッパ５６を対向位置に移動した場合、被係止部５８の下面に対し、ストッパ５６の係止部５６３の上面が所定の隙間を介して対向配置するが、被係止部５８の下面に対して、ストッパ５６の係止部５６３の上面が接触していてもよい。
【００４８】
ＣＰＵ５８１は、可動役物３５を上部位置から下部位置に下降させるとき、可動役物３５を引き上げ位置に引き上げるのと同時に、ソレノイド５５１の通電をオンし、ストッパ５６を対向位置から退避位置に瞬時に移動させるが、可動役物３５が上部位置から引き上げ位置に到達するまでの間に、ソレノイド５５１の通電をオンすればよい。好ましくは、可動役物３５を上部位置から引き上げるのと同時に、ソレノイド５５１の通電をオンするのがよい。これにより、パチンコ機１は、ストッパ５６を迅速に退避位置に移動させることができるので、可動役物３５を素早く引き上げ位置から下部位置に向けて下降させることができる。よって、可動役物３５をより素早く動作させることができる。
【００４９】
役物装置３０は、右昇降部材５３に被係止部５８を固定し、その下面にストッパ５６を係止させるが、可動役物３５の一部にストッパ５６を係止させてもよい。
【００５０】
ストッパ機構部５５は、ソレノイド５５１を駆動源とし、ソレノイド５５１の通電をオンオフすることによって、ストッパ５６を回動させ、対向位置と対向位置の間を揺動させるが、ソレノイド以外の駆動源でもよく、例えば、モータ、エアシリンダ等を用いてもよい。また、ストッパ５６の形状についても略Ｕ字状に限定するものではなく、例えば、平板状に形成し、対向位置と退避位置の間を水平移動するようにしてもよい。
【００５１】
上記実施形態は、遊技機として、遊技機の一種であるパチンコ機１を例に挙げているが、遊技機はパチンコ機に限られず、パチコン機、パチスロ台等の各種の遊技機に適用可能である。
【００５２】
なお、請求項、明細書および図面に記載される全ての要素（例えば、役物装置、入賞口等）は、個数を意識的に限定する明確な記載がない限り、物理的に単一であっても複数であっても構わないし、適宜配置の変更が行われても構わない。また、前記要素につけられた名称（要素名）は、単に本件の記載のために便宜上付与したにすぎないものであり、それによって特別な意味が生じることを特に意識したものではない。従って、要素名のみによって要素が何であるかが限定解釈されるものではない。更には、上記全ての要素のうちの複数の要素を適宜一体的に構成するか、もしくはひとつの要素を複数の要素に分けて構成するかは、何れも当業者であれば容易に考えられる事項であり、敢えて明細書等において全パターンを記載しなくても何れのパターンも想定範囲内であることは明らかであることから、特許請求の範囲等においてそれらを明確に除外している旨の記載がない限りは、それら全てについて本発明に係る権利範囲に含まれることは言うまでもない。従って、その程度の範囲内での構成上の差異を、本実施例に記載がなされていないことを理由に遊技機に採用することのみでは、本発明に係る権利を回避したことにはあたらない。その他、各要素の構成や形状等における、本実施例から当業者であれば容易に考えられる自明な範囲の差異についても同様である。
【符号の説明】
【００５３】
１    パチンコ機
３０    役物装置
３５    可動役物
５２    右ガイド軸
５３    右昇降部材
５４    駆動モータ
５５    ストッパ機構部
５６    ストッパ
６２    左ガイド軸
５３１    ラックギア
５４２    ピニオンギア
５５１    ソレノイド
５８１    ＣＰＵ
【図１】
2020089573.tif 000003
【図２】
2020089573.tif 000004
【図３】
2020089573.tif 000005
【図４】
2020089573.tif 000006
【図５】
2020089573.tif 000007
【図６】
2020089573.tif 000008
【図７】
2020089573.tif 000009
【図８】
2020089573.tif 000010
【図９】
2020089573.tif 000011
【図１０】
2020089573.tif 000012
【図１１】
2020089573.tif 000013
【図１２】
2020089573.tif 000014
【図１３】
2020089573.tif 000015